(57)【要約】  本技術は、より低い消費電力で撮像を行うことができるようにする固体撮像装置及びその駆動方法に関する。複数のSPAD画素を２次元状に配列した画素アレイ部を備え、基準の照度よりも高い照度である第１の照度となる場合に、画素アレイ部に配列される複数のSPAD画素のうち、一部のSPAD画素が間引かれるようにする固体撮像装置が提供されることで、より低い消費電力で撮像を行うことができる。本技術は、例えば、イメージセンサに適用することができる。
2019035369.tif 000002
【特許請求の範囲】
【請求項１】
複数のSPAD(Single Photon Avalanche Diode)画素を２次元状に配列した画素アレイ部を備え、
基準の照度よりも高い照度である第１の照度となる場合に、前記画素アレイ部に配列される複数のSPAD画素のうち、一部のSPAD画素が間引かれるようにする
固体撮像装置。
【請求項２】
前記画素アレイ部では、一部のSPAD画素である間引き画素が、画素単位、又は複数の画素からなるブロック単位で間引かれる
請求項１に記載の固体撮像装置。
【請求項３】
前記間引き画素は、画素単位又はブロック単位で、前記画素アレイ部にて規則的に又は不規則に配置される
請求項２に記載の固体撮像装置。
【請求項４】
前記間引き画素は、SPADのアノード又はカソードの電圧を制御することで、間引かれる
請求項２に記載の固体撮像装置。
【請求項５】
前記SPAD画素は、SPADのアバランシェ部が複数に分割され、分割されたアバランシェ部である分割アバランシェ部単位で間引かれる
請求項１に記載の固体撮像装置。
【請求項６】
前記分割アバランシェ部は、アノード又はカソードの電圧を制御することで、間引かれる
請求項５に記載の固体撮像装置。
【請求項７】
前記分割アバランシェ部は、前記分割アバランシェ部の上部に設けられるゲート電極を制御することで、間引かれる
請求項５に記載の固体撮像装置。
【請求項８】
前記分割アバランシェ部ごとに、不要な電子を排出するためのオーバーフロードレインがさらに設けられる
請求項７に記載の固体撮像装置。
【請求項９】
一部のSPAD画素である間引き画素ごとに、SPADのアノードとカソードとの電位差を、アバランシェの発生確率との関係を利用して制御する
請求項１に記載の固体撮像装置。
【請求項１０】
前記照度は、基準となる閾値に応じて、前記第１の照度を含む複数の段階の照度に分類される
請求項１に記載の固体撮像装置。
【請求項１１】
前記照度は、前記閾値に応じて、前記第１の照度と、前記第１の照度よりも低い照度である第２の照度との２段階に分類される
請求項１０に記載の固体撮像装置。
【請求項１２】
前記照度は、前記閾値に応じて、前記第１の照度と、前記第１の照度よりも低い照度である第２の照度と、前記第２の照度よりも低い照度である第３の照度との３段階に分類される
請求項１０に記載の固体撮像装置。
【請求項１３】
前記SPAD画素のSPADにおいて、
アノードは、光の入射側の面である第１の面の側、又は前記第１の面と反対側の面である第２の面の側に形成され、
カソードは、前記第２の面の側、又は前記第１の面の側に形成される
請求項１に記載の固体撮像装置。
【請求項１４】
複数のSPAD画素を２次元状に配列した画素アレイ部を有する固体撮像装置の駆動方法において、
基準の照度よりも高い照度である第１の照度となる場合に、前記画素アレイ部に配列される複数のSPAD画素のうち、一部のSPAD画素が間引かれるようにする
駆動方法。
【発明の詳細な説明】
【技術分野】
【０００１】
本技術は、固体撮像装置及びその駆動方法に関し、特に、より低い消費電力で撮像を行うことができるようにした固体撮像装置及びその駆動方法に関する。
【背景技術】
【０００２】
電子増倍をすることにより、１光子レベルでの読み出し感度を持つフォトダイオードの技術であるSPAD(Single Photon Avalanche Diode)が知られている（例えば、特許文献１参照）。
【先行技術文献】
【特許文献】
【０００３】
【特許文献１】US 2015/0054111 A1
【発明の概要】
【発明が解決しようとする課題】
【０００４】
ところで、SPADは、１光子を検出できるように半導体内中に、アバランシェ部を作り、１光子から光電変換された電子がこの部分を通過することで、数万倍の電子に増倍される構造からなる。このため、SPAD画素を用いた固体撮像装置は、光量が少ない、暗い場面での撮像に適している。【０００５】
一方で、SPAD画素を用いた固体撮像装置は、光量が多い、明るい場面の撮像では、数万の光子が入射してそれが増倍されるため、数億の電子が発生することになる。その結果として、消費電力が非常に大きくなるため、消費電力の削減に対する要求がある。【０００６】
本技術はこのような状況に鑑みてなされたものであり、SPAD画素を用いた固体撮像装置において、より低い消費電力で撮像を行うことができるようにするものである。
【課題を解決するための手段】
【０００７】
本技術の一側面の固体撮像装置は、複数のSPAD(Single Photon Avalanche Diode)画素を２次元状に配列した画素アレイ部を備え、基準の照度よりも高い照度である第１の照度となる場合に、前記画素アレイ部に配列される複数のSPAD画素のうち、一部のSPAD画素が間引かれるようにする固体撮像装置である。【０００８】
本技術の一側面の駆動方法は、複数のSPAD画素を２次元状に配列した画素アレイ部を有する固体撮像装置の駆動方法において、基準の照度よりも高い照度である第１の照度となる場合に、前記画素アレイ部に配列される複数のSPAD画素のうち、一部のSPAD画素が間引かれるようにする駆動方法である。【０００９】
本技術の一側面の固体撮像装置、及び駆動方法においては、基準の照度よりも高い照度である第１の照度となる場合に、画素アレイ部に配列される複数のSPAD画素のうち、一部のSPAD画素が間引かれる。【００１０】
本技術の一側面の固体撮像装置は、独立した装置であってもよいし、１つの装置を構成している内部ブロックであってもよい。
【発明の効果】
【００１１】
本技術の一側面によれば、より低い消費電力で撮像を行うことができる。【００１２】
なお、ここに記載された効果は必ずしも限定されるものではなく、本開示中に記載されたいずれかの効果であってもよい。
【図面の簡単な説明】
【００１３】
【図１】本技術を適用した固体撮像装置の一実施の形態の構成例を示すブロック図である。
【図２】画素アレイ部に配列される複数のSPAD画素の駆動の第１の例を示す図である。
【図３】画素アレイ部に配列される複数のSPAD画素の駆動の第２の例を示す図である。
【図４】SPAD画素の構造の第１の例を示す断面図である。
【図５】SPAD画素の構造の第２の例を示す断面図である。
【図６】SPAD画素の構造の第３の例を示す平面図である。
【図７】SPAD画素の構造の第３の例を示す断面図である。
【図８】SPAD画素の構造の第４の例を示す平面図である。
【図９】SPAD画素の構造の第４の例を示す断面図である。
【図１０】SPADのアノード−カソード間の電圧差によるアバランシェ発生確率の例を示す図である。
【図１１】SPAD画素駆動制御処理の流れを説明するフローチャートである。
【図１２】SPAD画素の構造の他の例を示す平面図である。
【図１３】SPAD画素の構造の他の例を示す平面図である。
【図１４】本技術を適用した固体撮像装置を有する電子機器の構成例を示すブロック図である。
【図１５】本技術を適用した固体撮像装置の使用例を示す図である。
【図１６】車両制御システムの概略的な構成の一例を示すブロック図である。
【図１７】車外情報検出部及び撮像部の設置位置の一例を示す説明図である。
【発明を実施するための形態】
【００１４】
以下、図面を参照しながら本技術の実施の形態について説明する。なお、説明は以下の順序で行うものとする。
【００１５】
１．固体撮像装置の構成
２．本技術の実施の形態
３．変形例
４．電子機器の構成
５．固体撮像装置の使用例
６．移動体への応用例
【００１６】
＜１．固体撮像装置の構成＞
【００１７】
（固体撮像装置の構成例）
図１は、本技術を適用した固体撮像装置の一実施の形態の構成例を示すブロック図である。
【００１８】
固体撮像装置１０は、被写体からの入射光を取り込んで、撮像面上に結像された入射光の光量を画素単位で電気信号に変換し、画素信号として出力するイメージセンサである。
【００１９】
図１において、固体撮像装置１０は、画素アレイ部２１、制御回路２２、及び読み出し回路２３を含んで構成される。
【００２０】
画素アレイ部２１は、複数のSPAD(Single Photon Avalanche Diode)画素を、２次元状（行列状）に配列している。ここで、SPAD画素は、単一光子アバランシェフォトダイオード（SPAD）を含む画素である。この単一光子アバランシェフォトダイオードは、１光子を検出できるように半導体内中に、アバランシェ部を作り、１光子から光電変換された電子がこの部分を通過することで、数万倍の電子に増倍（増幅）される構造からなる。
【００２１】
制御回路２２は、固体撮像装置１０の各部の動作を制御する。
【００２２】
また、制御回路２２は、画素駆動線を介して、SPAD画素を駆動するための駆動信号（パルス）を出力することで、画素アレイ部２１に２次元状に配列された複数のSPAD画素の駆動を制御する。例えば、制御回路２２は、照度の検出結果に基づいて、画素アレイ部２１に２次元状に配列された複数のSPAD画素の駆動を制御する。
【００２３】
読み出し回路２３は、画素アレイ部２１に２次元状に配列された複数のSPAD画素を順次走査して、各SPAD画素により生成された画素信号を、信号線を介して読み出す。読み出し回路２３は、読み出された画素信号を、後段の信号処理部（不図示）に出力する。
【００２４】
固体撮像装置１０は、以上のように構成される。
【００２５】
＜２．本技術の実施の形態＞
【００２６】
ところで、固体撮像装置１０は、複数のSPAD画素が２次元状に配列された画素アレイ部２１を有し、明るい場面での撮像時に、例えば、数万の光子が入射してそれが増倍されることで、数億の電子が発生するため、消費電力の削減を行うことが望ましいが、本技術では、以下の手法によって、消費電力の削減を図っている。
【００２７】
すなわち、固体撮像装置１０では、基準の照度よりも高い照度となる場合に、画素アレイ部２１に配列される複数のSPAD画素のうち、一部のSPAD画素が間引かれるようにすることで、より低い消費電力で撮像を行うことができるようにしている。
【００２８】
なお、照度としては、例えば、閾値に応じて、高照度と、高照度よりも低い照度である中照度と、中照度よりも低い照度である低照度との３段階に分類することができる。具体的には、例えば、高照度は、10,000lux程度とされ、中照度は、1,000lux程度とされ、低照度は、0.01lux程度とされる。
【００２９】
また、例えば、照度としては、閾値に応じて、高照度と、高照度よりも低い照度である低照度の２段階に分類することもできる。すなわち、照度は、閾値に応じて、複数の段階の照度に分類される。
【００３０】
（SPAD画素の駆動の第１の例）
図２は、図１の画素アレイ部２１に配列される複数のSPAD画素の駆動の第１の例を示している。
【００３１】
図２においては、画素アレイ部２１に２次元状に配列される複数のSPAD画素１００のうち、例えば、光の入射側から見て、左上の領域に配列される１６行１６列の画素を示している。
【００３２】
なお、図２においては、画素アレイ部２１の左側の領域と上側の領域に、SPAD画素１００のｉ行ｊ列に対応した行番号と列番号が表記されている。以下の説明では、画素アレイ部２１に配列された複数のSPAD画素１００のｉ行ｊ列を、SPAD画素１００（ｉ，ｊ）と表記する。
【００３３】
また、カラーフィルタとして、赤（Ｒ）のカラーフィルタが設けられ、Ｒカラーフィルタを透過した光から、赤（Ｒ）成分の光に対応した画素信号が得られる画素を、Ｒ画素と表記する。
【００３４】
同様に、緑（Ｇ）のカラーフィルタを透過した光から、緑（Ｇ）成分の光に対応した画素信号が得られる画素を、Ｇ画素と表記する。また、青（Ｂ）のカラーフィルタを透過した光から、青（Ｂ）成分の光に対応した画素信号が得られる画素を、Ｂ画素と表記する。
【００３５】
すなわち、画素アレイ部２１においては、複数のSPAD画素１００が、Ｒ画素、Ｇ画素、又はＢ画素として、２次元状に規則的に配列され、ベイヤー配列となっている。なお、ベイヤー配列とは、Ｇ画素が市松状に配され、残った部分に、Ｒ画素とＢ画素とが一列ごとに交互に配される配列パターンである。
【００３６】
ここで、画素アレイ部２１において、SPAD画素１００（３，３）に注目すれば、このSPAD画素１００（３，３）は、Ｂ画素であって、「OFF」である文字が付された間引き画素でもある。
【００３７】
間引き画素とは、高照度時に、画素アレイ部２１に配列された複数のSPAD画素１００の中から間引かれる画素である。SPAD画素１００（３，３）は、制御回路２２からの駆動制御に従い、高照度時に間引き画素となる。
【００３８】
画素アレイ部２１において、SPAD画素１００（２，９），SPAD画素１００（４，７），SPAD画素１００（４，１３），SPAD画素１００（６，２），SPAD画素１００（６，７），SPAD画素１００（６，１４），SPAD画素１００（７，１３），及びSPAD画素１００（８，５）は、SPAD画素１００（３，３）と同様に、間引き画素とされる。
【００３９】
さらに、画素アレイ部２１において、SPAD画素１００（９，１６），SPAD画素１００（１０，４），SPAD画素１００（１０，１３），SPAD画素１００（１１，１），SPAD画素１００（１１，５），SPAD画素１００（１１，９），SPAD画素１００（１３，３），SPAD画素１００（１３，１３），SPAD画素１００（１４，６），SPAD画素１００（１４，９），及びSPAD画素１００（１５，１５）は、SPAD画素１００（３，３）と同様に、間引き画素とされる。
【００４０】
このように、画素アレイ部２１においては、高照度時に、複数のSPAD画素１００のうち、任意のSPAD画素１００が、画素単位で不規則（ランダム）に、間引き画素になっている。そして、高照度時において、画素アレイ部２１に配列された複数のSPAD画素１００のうち、一部のSPAD画素１００が、画素単位で間引かれているため、消費電力を削減することができる。
【００４１】
なお、間引き画素の位置に対応した画像信号は、例えば、後段の信号処理回路で、間引き画素の周辺の画素から得られる画像信号を用いた所定の信号処理（例えば補正処理）を行うことで求めることができる。
【００４２】
（SPAD画素の駆動の第２の例）
図３は、図１の画素アレイ部２１に配列される複数のSPAD画素の駆動の第２の例を示している。
【００４３】
図３の画素アレイ部２１においては、図２に示した画素アレイ部２１と同様に、複数のSPAD画素１００が、Ｒ画素、Ｇ画素、又はＢ画素として、２次元状に規則的に配列され、ベイヤー配列となっている。
【００４４】
また、図３の画素アレイ部２１においても、複数のSPAD画素１００のうち、一部のSPAD画素１００が、間引き画素になっているが、間引き画素は、画素単位ではなく、複数の画素からなるブロック単位で配置されている。
【００４５】
例えば、画素アレイ部２１において、SPAD画素１００（１，１）乃至１００（１，４）、SPAD画素１００（２，１）乃至１００（２，４）、SPAD画素１００（３，１）乃至１００（３，４）、及びSPAD画素１００（４，１）乃至１００（４，４）からなる４×４画素のSPAD画素１００によって、１つのブロックが構成されている。このブロック内のSPAD画素１００は、高照度時に間引き画素となる。
【００４６】
また、例えば、画素アレイ部２１において、SPAD画素１００（１，５）乃至１００（１，８）、SPAD画素１００（２，５）乃至１００（２，８）、SPAD画素１００（３，５）乃至１００（３，８）、及びSPAD画素１００（４，５）乃至１００（４，８）からなる４×４画素のSPAD画素１００によって、１つのブロックが構成されている。このブロック内のSPAD画素１００は、通常の画素であって、高照度時でも、Ｒ画素、Ｇ画素、又はＢ画素のいずれかとなる。
【００４７】
同様に、画素アレイ部２１においては、４×４画素のブロック単位で、通常のSPAD画素１００を含む第１のブロックと、高照度時に間引き画素となるSPAD画素１００を含む第２のブロックとが、行方向と列方向で、交互に繰り返されている。
【００４８】
このように、画素アレイ部２１においては、高照度時に、複数のSPAD画素１００のうち、任意のSPAD画素１００が、ブロック単位で規則的に、間引き画素になっている。そして、高照度時において、画素アレイ部２１に配列された複数のSPAD画素１００のうち、一部のSPAD画素１００が、ブロック単位で間引かれているため、消費電力を削減することができる。
【００４９】
（SPAD画素の構造の第１の例）
図４は、SPAD画素１００の構造の第１の例を示す断面図である。
【００５０】
図４のSPAD画素１００において、単一光子アバランシェフォトダイオード１１０では、例えば、アノード１１１又はカソード１１２に、アバランシェ増倍を発生させるための電圧が印加され、入射光の受光部となるn-wellとp+拡散層との間のpn接合によって、アバランシェ増倍を発生させる。
【００５１】
単一光子アバランシェフォトダイオード１１０において、アノード１１１には、トランジスタ１２１が接続されている。トランジスタ１２１のゲートには、制御回路２２からの駆動信号が入力され、トランジスタ１２１のオン／オフが制御される。
【００５２】
制御回路２２は、高照度以外の低照度又は中照度となる場合には、高照度時に間引き画素となるSPAD画素１００に対し、所定のレベルの駆動信号が、トランジスタ１２１のゲートに入力されるようにすることで、対象のSPAD画素１００を、Ｒ画素、Ｇ画素、又はＢ画素として駆動する。
【００５３】
また、制御回路２２は、高照度となる場合には、高照度時に間引き画素となるSPAD画素１００に対し、所定のレベルの駆動信号が、トランジスタ１２１のゲートに入力されるようにすることで、対象のSPAD画素１００を、間引き画素とする。
【００５４】
なお、制御回路２２は、通常の画素となるSPAD画素１００に対しては、所定のレベルの駆動信号が、トランジスタ１２１のゲートに入力されるようにすることで、高照度や中照度、低照度に関係なく、常に、対象のSPAD画素１００を、Ｒ画素、Ｇ画素、又はＢ画素として駆動する。
【００５５】
このように、SPAD画素１００において、単一光子アバランシェフォトダイオード１１０のアノード１１１に、トランジスタ１２１を接続して、その電圧を制御することで、高照度時において、画素アレイ部２１に配列された複数のSPAD画素１００のうち、一部のSPAD画素１００を、画素単位又はブロック単位で間引くことが可能となる。
【００５６】
（SPAD画素の構造の第２の例）
図５は、SPAD画素１００の構造の第２の例を示す断面図である。
【００５７】
図５のSPAD画素１００において、単一光子アバランシェフォトダイオード１１０のカソード１１２には、トランジスタ１２２が接続されている。トランジスタ１２２のゲートには、制御回路２２からの駆動信号が入力され、トランジスタ１２２のオン／オフが制御される。
【００５８】
このように、SPAD画素１００において、単一光子アバランシェフォトダイオード１１０のカソード１１２に、トランジスタ１２２を接続して、その電圧を制御することで、高照度時において、画素アレイ部２１に配列された複数のSPAD画素１００のうち、一部のSPAD画素１００を、画素単位又はブロック単位で間引くことが可能となる。
【００５９】
（SPAD画素の構造の第３の例）
図６は、SPAD画素１００の構造の第３の例を示す平面図である。
【００６０】
図６のSPAD画素１００においては、単一光子アバランシェフォトダイオード１１０における倍増領域であるアバランシェ部１３１が複数に分割され、アノード１１１とカソード１１２が、分割されたアバランシェ部１３１のそれぞれに接続される構造からなる。
【００６１】
ここでは、アバランシェ部１３１が４分割されて、分割アバランシェ部１３１−１乃至１３１−４が形成され、分割アバランシェ部１３１−１乃至１３１−４のそれぞれに対し、カソード１１２−１乃至１１２−４のそれぞれが接続されている。
【００６２】
図７は、SPAD画素１００の構造の第３の例を示す断面図として、図６のＡ−Ａ'断面を示している。
【００６３】
図７の単一光子アバランシェフォトダイオード１１０において、分割アバランシェ部１３１−１には、カソード１１２−１が接続されている。このカソード１１２−１には、トランジスタ１２２−１が接続され、制御回路２２からの駆動信号に従い、オン／オフの動作が制御される。
【００６４】
一方で、分割アバランシェ部１３１−４には、カソード１１２−４が接続されている。このカソード１１２−４には、トランジスタ１２２−４が接続され、制御回路２２からの駆動信号に従い、オン／オフの動作が制御される。
【００６５】
制御回路２２は、高照度となる場合には、高照度時に間引き画素となるSPAD画素１００に対し、所定のレベルの駆動信号が、トランジスタ１２２−１乃至１２２−４のゲートに入力されるようにすることで、対象のSPAD画素１００を、間引き画素とする。
【００６６】
このとき、SPAD画素１００においては、トランジスタ１２２−１乃至１２２−４のゲートのそれぞれに対し、所定のレベルの駆動信号が入力されるようにすることで、分割アバランシェ部１３１−１乃至１３１−４ごとに、駆動を制御することができる。
【００６７】
例えば、低照度時又は中照度時には、分割アバランシェ部１３１−１乃至１３１−４の４つの分割アバランシェ部をすべて使用するが（すなわち、このときの使用割合は「4/4」となる）、高照度時には、分割アバランシェ部１３１−１乃至１３１−４のうち、３つの分割アバランシェ部のみを使用するようにする（すなわち、このときの使用割合は「3/4」となる）。
【００６８】
なお、このような分割アバランシェ部単位の間引きの制御であるが、画素アレイ部２１に配列された複数のSPAD画素１００のすべてに対して行われるようにしてもよいし、一部のSPAD画素１００のみに対して行われるようにしてもよい。
【００６９】
このように、SPAD画素１００において、アバランシェ部１３１を複数に分割した場合に、各分割アバランシェ部１３１−１乃至１３１−４のカソード１１２−１乃至１１２−４に対して、トランジスタ１２２−１乃至１２２−４を接続して、その電圧を制御することで、高照度時において、画素アレイ部２１に配列された複数のSPAD画素１００のうち、一部のSPAD画素１００を、分割画素単位（分割アバランシェ部単位）で間引くことが可能となる。
【００７０】
（SPAD画素の構造の第４の例）
図８は、SPAD画素１００の構造の第４の例を示す平面図である。
【００７１】
図８のSPAD画素１００においては、上述した第３の例と同様に、アバランシェ部１３１が４分割され、アバランシェ部１３１−１乃至１３１−４に対し、アノード１１１とカソード１１２が接続された構造からなる。
【００７２】
図９は、SPAD画素１００の構造の第４の例を示す断面図として、図８のＡ−Ａ'断面を示している。
【００７３】
図９の単一光子アバランシェフォトダイオード１１０において、分割アバランシェ部１３１−１には、カソード１１２が接続されるほか、分割アバランシェ部１３１−１の上部の一部を覆うようにゲート電極１４１−１が設けられている。
【００７４】
ここで、ゲート電極１４１−１の上部には、配線用のコンタクトが接続される。ゲート電極１４１−１は、コンタクトを介して印加される駆動信号に応じて、オン／オフの動作を行うことで、分割アバランシェ部１３１−１からの電子が、カソード１１２に転送されるようにする。
【００７５】
オーバーフロードレイン（OFD：Overflow Drain）１４２−１は、ゲート電極１４１−１がオフとされるとき、隣接するアバランシェ部１３１（例えば、分割アバランシェ部１３１−２乃至１３１−４）に、電子が漏れないように、不要な電子を排出できるようになされる。
【００７６】
一方で、分割アバランシェ部１３１−４には、カソード１１２が接続されるほか、ゲート電極１４１−４とオーバーフロードレイン１４２−４が設けられている。ゲート電極１４１−４は、コンタクトを介して印加される駆動信号に応じて、オン／オフの動作を行うことで、分割アバランシェ部１３１−４からの電子が、カソード１１２に転送されるようにする。
【００７７】
制御回路２２は、高照度となる場合には、高照度時に間引き画素となるSPAD画素１００に対し、所定のレベルの駆動信号が、ゲート電極１４１−１乃至１４１−４に印加されるようにすることで、対象のSPAD画素１００を、間引き画素とする。
【００７８】
このとき、SPAD画素１００においては、ゲート電極１４１−１乃至１４１−４のそれぞれに対し、所定のレベルの駆動信号が入力されるようにすることで、分割アバランシェ部１３１−１乃至１３１−４ごとに、駆動を制御することができる。
【００７９】
例えば、低照度時又は中照度時には、分割アバランシェ部１３１−１乃至１３１−４の４つの分割アバランシェ部をすべて使用するが（すなわち、このときの使用割合は「4/4」となる）、高照度時には、分割アバランシェ部１３１−１乃至１３１−４のうち、１つの分割アバランシェ部のみを使用するようにする（すなわち、このときの使用割合は「1/4」となる）。
【００８０】
なお、このような分割アバランシェ部単位の間引きの制御であるが、画素アレイ部２１に配列された複数のSPAD画素１００のすべてに対し、あるいは一部のSPAD画素１００のみに対して行われるようにすることができる。
【００８１】
このように、SPAD画素１００において、アバランシェ部１３１を複数に分割した場合に、カソード１１２とそれぞれ接続される各分割アバランシェ部１３１−１乃至１３１−４に対し、ゲート電極１４１−１乃至１４１−４を設けて、その電圧を制御することで、高照度時において、画素アレイ部２１に配列された複数のSPAD画素１００のうち、一部のSPAD画素１００を、分割画素単位（分割アバランシェ部単位）で間引くことが可能となる。
【００８２】
（アバランシェ発生確率を利用した駆動の例）
図１０は、単一光子アバランシェフォトダイオード１１０のアノード−カソード間の電圧差によるアバランシェ発生確率の例を示す図である。
【００８３】
図１０において、横軸は、アノード−カソード間の電圧差を表し、縦軸は、アバランシェ発生確率を表している。
【００８４】
図１０に示すように、アノード−カソード間の電圧差が小さいほど、アバランシェ発生確率が低くなる一方で、アノード−カソード間の電圧差が大きいほど、アバランシェ発生確率が大きくなっている。
【００８５】
すなわち、アノード−カソード間の電圧差が十分に高いときには、例えば、すべての電子がアバランシェ増倍を起こすことができるが、この電圧差が低くなると、例えば、アバランシェ増倍を起こす電子が略半分程度となる。
【００８６】
ここでは、例えば、低照度時には、アノード−カソード間の電圧差を、アバランシェ発生確率が100%になるように制御する一方で、高照度時には、アノード−カソード間の電圧差を、アバランシェ発生確率が下がるように制御する。これにより、高照度時においても、より低い消費電力で撮像が行われるようにすることができる。
【００８７】
（SPAD画素駆動制御処理の流れ）
次に、図１１のフローチャートを参照して、制御回路２２により実行されるSPAD画素駆動制御処理の流れを説明する。
【００８８】
ステップＳ１１において、制御回路２２は、照度の検出結果を取得する。
【００８９】
ここでの照度の検出方法としては、様々な検出方法を採用することができるが、例えば、照度センサからの出力や、固体撮像装置１０の出力から得られる画像の解析結果（例えば、画像が明るすぎて、飽和しているかどうかなど）などから、照度の検出結果を得ることができる。
【００９０】
ステップＳ１２において、制御回路２２は、ステップＳ１１の処理で得られる照度の検出結果に基づいて、照度の検出結果を閾値と比較して、高照度であるかどうかを判定する。
【００９１】
なお、この判定処理では、照度の検出結果を、閾値に応じて、例えば、高照度、中照度、又は低照度の３段階や、高照度又は低照度の２段階などで判定することができる。
【００９２】
ステップＳ１２において、高照度であると判定された場合、処理は、ステップＳ１３に進められる。ステップＳ１３において、制御回路２２は、間引き画素を決定する。
【００９３】
ここでは、例えば、制御回路２２は、あらかじめ設定された情報などに基づき、画素アレイ部２１に配列された複数のSPAD画素１００のうち、一部のSPAD画素１００を、画素単位、ブロック単位、又は分割アバランシェ部単位などのどの単位で間引くかを決定し、さらに、実際にどのSPAD画素１００を間引き画素にするかを決定する。
【００９４】
すなわち、ここでは、画素アレイ部２１に配列された複数のSPAD画素１００のうち、高照度時に、有効にするSPAD画素１００と、無効にするSPAD画素１００とをそれぞれ決定しているとも言える。
【００９５】
ステップＳ１３の処理が終了すると、処理は、ステップＳ１４の処理に進められる。なお、ステップＳ１２において、低照度又は中照度であって、高照度ではないと判定された場合、ステップＳ１３の処理はスキップされ、処理は、ステップＳ１４の処理に進められる。
【００９６】
ステップＳ１４において、制御回路２２は、画素アレイ部２１に配列された複数のSPAD画素１００の駆動を制御する。
【００９７】
ここでは、高照度時には、ステップＳ１３の処理で、間引く単位や間引く画素に関する情報が決定されているので、例えば、それらの情報に基づき、制御回路２２は、画素アレイ部２１に配列された複数のSPAD画素１００の駆動を制御することができる。
【００９８】
以上、SPAD画素駆動制御処理の流れについて説明した。
【００９９】
このSPAD画素駆動制御処理では、高照度時において、画素アレイ部２１に配列された複数のSPAD画素１００のうち、一部のSPAD画素１００を、所定の単位（例えば画素単位やブロック単位、分割アバランシェ部単位）で間引くことが可能となるため、より低い消費電力で撮像を行うことができる。
【０１００】
＜３．変形例＞
【０１０１】
（SPAD画素の構造の他の例）
図１２は、SPAD画素１００の構造の他の例を示す平面図である。
【０１０２】
上述した説明では、SPAD画素１００において、アバランシェ部１３１を、４分割した場合の構造を示したが、アバランシェ部１３１の分割数は任意であって、例えば、２分割とした場合には、図１２に示すような構造とされる。
【０１０３】
すなわち、図１２においては、アバランシェ部１３１が２分割され、分割アバランシェ部１３１−１と分割アバランシェ部１３１−２が形成されている。ここでは、上述した第４の例と同様に、分割アバランシェ部１３１−１に対し、ゲート電極１４１−１を設けるとともに、分割アバランシェ部１３１−２に対し、ゲート電極１４１−２を設けることで、分割画素単位（分割アバランシェ部単位）で、一部のSPAD画素１００を間引くことができる。
【０１０４】
なお、アバランシェ部１３１の分割数として、４分割と２分割を例示したが、その分割数は任意であって、例えば、３分割や８分割、10分割、100分割などであってもよい。
【０１０５】
図１３は、SPAD画素１００の構造のさらに他の例を示す平面図である。
【０１０６】
上述した説明では、SPAD画素１００において、アバランシェ部１３１を、４分割した場合に、分割アバランシェ部１３１−１乃至１３１−４の領域の面積が、略同一の面積になる場合を例示したが、各分割アバランシェ部１３１−１乃至１３１−４の領域の面積は、異なるようにしてもよい。
【０１０７】
例えば、図１３に示すように、SPAD画素１００において、分割アバランシェ部１３１−１が最も面積が大きく、分割アバランシェ部１３１−３，分割アバランシェ部１３１−２，分割アバランシェ部１３１−４の順に、その面積が小さくなっている。
【０１０８】
ここでも、上述した第４の例と同様に、分割アバランシェ部１３１−１乃至１３１−４のそれぞれに対し、ゲート電極１４１−１乃至ゲート電極１４１−４をそれぞれ設けることで、分割画素単位（分割アバランシェ部単位）で、一部のSPAD画素１００を間引くことができる。
【０１０９】
なお、図１２及び図１３に示したSPAD画素１００の構造においては、上述した第４の例と同様に、オーバーフロードレイン１４２を設けるようにしてもよい。また、図１２及び図１３に示したSPAD画素１００の構造として、上述した第３の例と同様に、分割アバランシェ部１３１−Ｎ（Ｎ：１以上の整数）ごとに、異なるカソード１１２−Ｎに接続されるようにしてもよい。
【０１１０】
（SPAD画素の駆動の他の例）
上述した説明では、図２に示した画素アレイ部２１において、高照度時に、複数のSPAD画素１００のうち、任意のSPAD画素１００が、画素単位で不規則（ランダム）に、間引き画素になることで、消費電力を削減することができるとして説明したが、ここでは、画素単位で不規則に間引き画素になる場合に限らず、画素単位で規則的に間引き画素になるようにしてもよい。
【０１１１】
また、上述した説明では、図３に示した画素アレイ部２１において、高照度時に、複数のSPAD画素１００のうち、任意のSPAD画素１００が、ブロック単位で規則的に、間引き画素になることで、消費電力を削減することができるとして説明したが、ここでは、ブロック単位で規則的に間引き画素になる場合に限らず、ブロック単位で不規則（ランダム）に間引き画素になるようにしてもよい。
【０１１２】
さらに、高照度時において、画素アレイ部２１に配列された複数のSPAD画素１００から、間引きされる画素（間引き画素）の数は任意である。
【０１１３】
（SPAD画素の断面構造の他の例）
単一光子アバランシェフォトダイオード１１０において、アノードは、光の入射側の面である第１の面の側、又は第１の面と反対側の面である第２の面の側に形成され、カソードは、第２の面の側、又は第１の面の側に形成されるようにすることができる。すなわち、単一光子アバランシェフォトダイオード１１０のアノードとカソードは、例えば、半導体の表面にそれぞれ配置されていても、表面と裏面にそれぞれ配置されていてもよい。
【０１１４】
（他のセンサの例）
上述した説明では、固体撮像装置１０として、画像データを得るためのイメージセンサ（例えば、CMOS(Complementary Metal Oxide Semiconductor)イメージセンサ）を例にして説明したが、例えば、距離センサ（例えば、TOF(Time of Flight)法によって距離計測を行うセンサ）などの他のセンサとして用いられるようにしてもよい。
【０１１５】
（SPAD画素の配列パターンの他の例）
上述した説明では、画素アレイ部２１に配列された複数のSPAD画素１００の配列パターンとして、ベイヤー配列で配列される場合を説明したが、他の配列パターンを採用してもよい。また、SPAD画素１００としては、Ｒ画素、Ｇ画素、又はＢ画素となる場合を説明したが、例えば、白（Ｗ）のＷ画素や、赤外線（IR）のIR画素などが含まれるようにしてもよい。
【０１１６】
（制御回路の他の例）
上述した説明では、画素アレイ部２１に配列された複数のSPAD画素１００は、制御回路２２によって駆動が制御されるとして説明したが、例えば、固体撮像装置１０とは異なる外部の装置からの制御に従い、SPAD画素１００の駆動が制御されるようにするなど、他の手法によって、SPAD画素１００の駆動が制御されるようにしてもよい。
【０１１７】
＜４．電子機器の構成＞
【０１１８】
図１４は、本技術を適用した固体撮像装置を有する電子機器の構成例を示すブロック図である。
【０１１９】
電子機器１０００は、例えば、デジタルスチルカメラやビデオカメラ等の撮像装置や、スマートフォンやタブレット型端末等の携帯端末装置などの電子機器である。
【０１２０】
電子機器１０００は、固体撮像装置１００１、DSP回路１００２、フレームメモリ１００３、表示部１００４、記録部１００５、操作部１００６、及び、電源部１００７から構成される。また、電子機器１０００において、DSP回路１００２、フレームメモリ１００３、表示部１００４、記録部１００５、操作部１００６、及び電源部１００７は、バスライン１００８を介して相互に接続されている。
【０１２１】
固体撮像装置１００１は、上述した固体撮像装置１０（図１）に対応しており、画素アレイ部２１（図１）に２次元状に配列される複数のSPAD画素１００の構造として、上述の構造（例えば、SPAD画素１００の構造の第１の例乃至第４の例）を採用し、その駆動として、上述の駆動（例えば、SPAD画素１００の駆動の第１の例乃至第２の例）により制御を行うことができる。
【０１２２】
DSP回路１００２は、固体撮像装置１００１から供給される信号を処理するカメラ信号処理回路である。DSP回路１００２は、固体撮像装置１００１からの信号を処理して得られる画像データを出力する。フレームメモリ１００３は、DSP回路１００２により処理された画像データを、フレーム単位で一時的に保持する。
【０１２３】
表示部１００４は、例えば、液晶パネルや有機EL(Electro Luminescence)パネル等のパネル型表示装置からなり、固体撮像装置１００１で撮像された動画又は静止画を表示する。記録部１００５は、固体撮像装置１００１で撮像された動画又は静止画の画像データを、半導体メモリやハードディスク等の記録媒体に記録する。
【０１２４】
操作部１００６は、ユーザによる操作に従い、電子機器１０００が有する各種の機能についての操作指令を出力する。電源部１００７は、DSP回路１００２、フレームメモリ１００３、表示部１００４、記録部１００５、及び、操作部１００６の動作電源となる各種の電源を、これら供給対象に対して適宜供給する。
【０１２５】
電子機器１０００は、以上のように構成される。本技術は、以上説明したように、固体撮像装置１００１に適用される。具体的には、固体撮像装置１０（図１）は、固体撮像装置１００１に適用することができる。固体撮像装置１００１に本技術を適用することで、高照度時において、画素アレイ部２１に配列された複数のSPAD画素１００のうち、一部のSPAD画素１００が、所定の単位（例えば画素単位やブロック単位、分割アバランシェ部単位）で間引かれるため、より低い消費電力で撮像を行うことができる。
【０１２６】
＜５．固体撮像装置の使用例＞
【０１２７】
図１５は、本技術を適用した固体撮像装置の使用例を示す図である。
【０１２８】
固体撮像装置１０（図１）は、例えば、以下のように、可視光や、赤外光、紫外光、Ｘ線等の光をセンシングする様々なケースに使用することができる。すなわち、図１５に示すように、鑑賞の用に供される画像を撮影する鑑賞の分野だけでなく、例えば、交通の分野、家電の分野、医療・ヘルスケアの分野、セキュリティの分野、美容の分野、スポーツの分野、又は、農業の分野などにおいて用いられる装置でも、固体撮像装置１０を使用することができる。
【０１２９】
具体的には、鑑賞の分野において、例えば、デジタルカメラやスマートフォン、カメラ機能付きの携帯電話機等の、鑑賞の用に供される画像を撮影するための装置（例えば、図１４の電子機器１０００）で、固体撮像装置１０を使用することができる。
【０１３０】
交通の分野において、例えば、自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置で、固体撮像装置１０を使用することができる。
【０１３１】
家電の分野において、例えば、ユーザのジェスチャを撮影して、そのジェスチャに従った機器操作を行うために、テレビ受像機や冷蔵庫、エアーコンディショナ等の家電に供される装置で、固体撮像装置１０を使用することができる。また、医療・ヘルスケアの分野において、例えば、内視鏡や、赤外光の受光による血管撮影を行う装置等の、医療やヘルスケアの用に供される装置で、固体撮像装置１０を使用することができる。
【０１３２】
セキュリティの分野において、例えば、防犯用途の監視カメラや、人物認証用途のカメラ等の、セキュリティの用に供される装置で、固体撮像装置１０を使用することができる。また、美容の分野において、例えば、肌を撮影する肌測定器や、頭皮を撮影するマイクロスコープ等の、美容の用に供される装置で、固体撮像装置１０を使用することができる。
【０１３３】
スポーツの分野において、例えば、スポーツ用途等向けのアクションカメラやウェアラブルカメラ等の、スポーツの用に供される装置で、固体撮像装置１０を使用することができる。また、農業の分野において、例えば、畑や作物の状態を監視するためのカメラ等の、農業の用に供される装置で、固体撮像装置１０を使用することができる。
【０１３４】
＜６．移動体への応用例＞
【０１３５】
本開示に係る技術（本技術）は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０１３６】
図１６は、本開示に係る技術が適用され得る移動体制御システムの一例である車両制御システムの概略的な構成例を示すブロック図である。
【０１３７】
車両制御システム１２０００は、通信ネットワーク１２００１を介して接続された複数の電子制御ユニットを備える。図１６に示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（Interface）１２０５３が図示されている。
【０１３８】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０１３９】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【０１４０】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【０１４１】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【０１４２】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【０１４３】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Advanced Driver Assistance System）の機能実現を目的とした協調制御を行うことができる。
【０１４４】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０１４５】
また、マイクロコンピュータ１２０５１は、車外情報検出ユニット１２０３０で取得される車外の情報に基づいて、ボディ系制御ユニット１２０３０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【０１４６】
音声画像出力部１２０５２は、車両の搭乗者又は車外に対して、視覚的又は聴覚的に情報を通知することが可能な出力装置へ音声及び画像のうちの少なくとも一方の出力信号を送信する。図１６の例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【０１４７】
図１７は、撮像部１２０３１の設置位置の例を示す図である。
【０１４８】
図１７では、撮像部１２０３１として、撮像部１２１０１、１２１０２、１２１０３、１２１０４、１２１０５を有する。
【０１４９】
撮像部１２１０１、１２１０２、１２１０３、１２１０４、１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２、１２１０３は、主として車両１２１００の側方の画像を取得する。リアバンパ又はバックドアに備えられる撮像部１２１０４は、主として車両１２１００の後方の画像を取得する。車室内のフロントガラスの上部に備えられる撮像部１２１０５は、主として先行車両又は、歩行者、障害物、信号機、交通標識又は車線等の検出に用いられる。
【０１５０】
なお、図１７には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０１５１】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０１５２】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０km/h以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０１５３】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０１５４】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０１５５】
以上、本開示に係る技術が適用され得る車両制御システムの一例について説明した。本開示に係る技術は、以上説明した構成のうち、撮像部１２０３１に適用され得る。具体的には、図１の固体撮像装置１０は、撮像部１２０３１に適用することができる。撮像部１２０３１に本開示に係る技術を適用することにより、高照度時において、画素アレイ部に配列された複数のSPAD画素のうち、一部のSPAD画素が、所定の単位（例えば画素単位やブロック単位、分割アバランシェ部単位）で間引かれるため、より低い消費電力で撮像を行うことが可能となる。
【０１５６】
なお、本技術の実施の形態は、上述した実施の形態に限定されるものではなく、本技術の要旨を逸脱しない範囲において種々の変更が可能である。
【０１５７】
また、本技術は、以下のような構成をとることができる。
【０１５８】
（１）
複数のSPAD(Single Photon Avalanche Diode)画素を２次元状に配列した画素アレイ部を備え、
基準の照度よりも高い照度である第１の照度となる場合に、前記画素アレイ部に配列される複数のSPAD画素のうち、一部のSPAD画素が間引かれるようにする
固体撮像装置。
（２）
前記画素アレイ部では、一部のSPAD画素である間引き画素が、画素単位、又は複数の画素からなるブロック単位で間引かれる
前記（１）に記載の固体撮像装置。
（３）
前記間引き画素は、画素単位又はブロック単位で、前記画素アレイ部にて規則的に又は不規則に配置される
前記（２）に記載の固体撮像装置。
（４）
前記間引き画素は、SPADのアノード又はカソードの電圧を制御することで、間引かれる
前記（１）又は（２）に記載の固体撮像装置。
（５）
前記SPAD画素は、SPADのアバランシェ部が複数に分割され、分割されたアバランシェ部である分割アバランシェ部単位で間引かれる
前記（１）に記載の固体撮像装置。
（６）
前記分割アバランシェ部は、アノード又はカソードの電圧を制御することで、間引かれる
前記（５）に記載の固体撮像装置。
（７）
前記分割アバランシェ部は、前記分割アバランシェ部の上部に設けられるゲート電極を制御することで、間引かれる
前記（５）に記載の固体撮像装置。
（８）
前記分割アバランシェ部ごとに、不要な電子を排出するためのオーバーフロードレインがさらに設けられる
前記（７）に記載の固体撮像装置。
（９）
一部のSPAD画素である間引き画素ごとに、SPADのアノードとカソードとの電位差を、アバランシェの発生確率との関係を利用して制御する
前記（１）乃至（８）のいずれかに記載の固体撮像装置。
（１０）
前記照度は、基準となる閾値に応じて、前記第１の照度を含む複数の段階の照度に分類される
前記（１）乃至（９）のいずれかに記載の固体撮像装置。
（１１）
前記照度は、前記閾値に応じて、前記第１の照度と、前記第１の照度よりも低い照度である第２の照度との２段階に分類される
前記（１０）に記載の固体撮像装置。
（１２）
前記照度は、前記閾値に応じて、前記第１の照度と、前記第１の照度よりも低い照度である第２の照度と、前記第２の照度よりも低い照度である第３の照度との３段階に分類される
前記（１０）に記載の固体撮像装置。
（１３）
前記SPAD画素のSPADにおいて、
アノードは、光の入射側の面である第１の面の側、又は前記第１の面と反対側の面である第２の面の側に形成され、
カソードは、前記第２の面の側、又は前記第１の面の側に形成される
前記（１）乃至（１２）のいずれかに記載の固体撮像装置。
（１４）
複数のSPAD画素を２次元状に配列した画素アレイ部を有する固体撮像装置の駆動方法において、
基準の照度よりも高い照度である第１の照度となる場合に、前記画素アレイ部に配列される複数のSPAD画素のうち、一部のSPAD画素が間引かれるようにする
駆動方法。
【符号の説明】
【０１５９】
１０  固体撮像装置，  ２１  画素アレイ部，  ２２  制御回路，  ２３  読み出し回路，  １００  SPAD画素，  １１０  単一光子アバランシェフォトダイオード（SPAD），  １１１  アノード，  １１２，１１２−１乃至１１２−４  カソード，  １２１  トランジスタ，  １２２  トランジスタ，  １３１  アバランシェ部，  １３１−１乃至１３１−４  分割アバランシェ部，  １４１−１乃至１４１−４  ゲート電極，  １４２−１乃至１４２−４  オーバーフロードレイン，  １０００  電子機器，  １００１  固体撮像装置，  １２０３１  撮像部
【図１】
2019035369.tif 000003
【図２】
2019035369.tif 000004
【図３】
2019035369.tif 000005
【図４】
2019035369.tif 000006
【図５】
2019035369.tif 000007
【図６】
2019035369.tif 000008
【図７】
2019035369.tif 000009
【図８】
2019035369.tif 000010
【図９】
2019035369.tif 000011
【図１０】
2019035369.tif 000012
【図１１】
2019035369.tif 000013
【図１２】
2019035369.tif 000014
【図１３】
2019035369.tif 000015
【図１４】
2019035369.tif 000016
【図１５】
2019035369.tif 000017
【図１６】
2019035369.tif 000018
【図１７】
2019035369.tif 000019
【国際調査報告】
2019035369.tif 000020
2019035369.tif 000021